(57)【要約】【課題】  簡単な構造で、従来の役物には無い高揚感を遊技者に与えることができる役物を提供すること。【解決手段】  遊技盤面に対して所定角度で設けられた弾発面と、入賞した遊技球を、前記弾発面に対して斜め上方から投入するように導く導入部と、前記弾発面から見て前記導入部の反対側に設けられた障害壁部と、前記障害壁部を挟んで前記弾発面とは反対側に設けられた所定入賞口と、を有する遊技機の役物である。【選択図】  図２
2008206646.tif 000002
【特許請求の範囲】
【請求項１】
遊技機の役物であって、
遊技盤面に対して所定角度で設けられた弾発面と、
入賞した遊技球を、前記弾発面に対して斜め上方から投入するように導く導入部と、
前記弾発面から見て前記導入部の反対側に設けられた障害壁部と、
前記障害壁部を挟んで前記弾発面とは反対側に設けられた所定入賞口と、
を有することを特徴とする遊技機の役物。
【請求項２】
前記所定入賞口が設けられた領域へ前記遊技球を案内する案内部材であって、前記障害壁部から見て前記弾発面の反対側に設けられるか、前記障害壁部の上方に設けられる案内部材を更に有することを特徴とする請求項１記載の遊技機の役物。
【請求項３】
前記障害壁部の頂面が少なくとも１つの凹部もしくは凸部または傾斜部を有することを特徴とする請求項１または２に記載の遊技機の役物。
【請求項４】
前記障害壁部の高さを調整する調整機構を更に有することを特徴とする請求項１−３のいずれかに記載の遊技機の役物。
【請求項５】
前記障害壁部は複数の壁からなり、前記壁同士の間にはそれぞれ前記弾発面が設けられていることを特徴とする請求項１−４のいずれかに記載の遊技機の役物。
【発明の詳細な説明】
【技術分野】
【０００１】
本発明は遊技機の役物に関し、特に、簡単な構造でありながら遊技者に高揚感を与えることができる役物に関する。
【背景技術】
【０００２】
一般的にパチンコ機には種々の入賞装置が設けられている。入賞装置としては、例えば、パチンコ球を複数の入賞口の１つに振り分ける機構を備えるものが知られている。その１例が特許文献１（特開２００３−３０５２１４号公報）に開示されている。添付図面の図１は特開２００３−３０５２１４号公報の入賞装置の要部を示す斜視図である。この入賞装置では、パチンコ球Ｂは通路部６４を転がる。通路部６４は緩斜面である。パチンコ球Ｂは通路部６４を転がった後、誘導部材８０に至る。誘導部材８０は２つの入賞口７２ａ、７２ｂのほぼ横に位置している。球誘導部材８０を脚部（軸）８１回りに回動することにより、パチンコ球Ｂは球誘導面８２に沿って右または左に振分けられ、２つの入賞口７２ａ、７２ｂのいずれかに導かれるようになっている。図１はパチンコ球Ｂが球誘導部材８０により一般入賞口７２ａに誘導される状態を示している。尚、符号６６は通路部の上縁部、６７は通路部の端面、７０は振分け流路部、７２ｂは継続入賞口、７５は球誘導溝、８３はソレノイド、８４はプランジャ、８５はアームである。
【特許文献１】特開２００３−３０５２１４号公報
【発明の開示】
【発明が解決しようとする課題】
【０００３】
前記入賞装置においては、パチンコ球が振分けられる際のパチンコ球の動きはほぼ平面的である（多少の傾斜はあるが）。よって、パチンコ球の動きは遊技者に大きな高揚感を与えることができない。
【０００４】
また、パチンコ球の振分け動作は左右の振分けだけであるので、遊技者を飽きさせてしまう（バリエーションが少ない）。
【０００５】
さらに、前記入賞装置においては、球誘導部材を回動させるために、複雑な機構を必要としている。即ち、図１の入賞装置では、ソレノイド、プランジャ、アーム等を必要としている。
【０００６】
本発明の１つの目的は、簡単な構造で遊技者に大きな高揚感を与えることができる役物を提供することである。
【０００７】
本発明の他の目的は、多くのバリエーションで遊技球を振分けることができる役物を提供することである。
【課題を解決するための手段】
【０００８】
本発明によれば、遊技機の役物であって、
遊技盤面に対して所定角度で設けられた弾発面と、
入賞した遊技球を、前記弾発面に対して斜め上方から投入するように導く導入部と、
前記弾発面から見て前記導入部の反対側に設けられた障害壁部と、
前記障害壁部を挟んで前記弾発面とは反対側に設けられた所定入賞口と、
を有する遊技機の役物が提供される。
【０００９】
好ましくは、前記役物は、前記障害壁部から見て前記弾発面の反対側に設けられるか、あるいは、前記障害壁部の上方に設けられる案内部材を更に有する。この案内部材は、前記所定入賞口が設けられた領域へ前記遊技球を案内するものである。
【００１０】
前記障害壁部の頂面は少なくとも１つの凹部もしくは凸部または傾斜部を有してもよい。
【００１１】
前記役物は前記障害壁部の高さを調整する調整機構を更に有してもよい。
【００１２】
前記障害壁部は複数の壁から構成されてもよい。その場合、好ましくは、前記壁同士の間にはそれぞれ前記弾発面が設けられる。
【発明の効果】
【００１３】
前記役物によれば、導入部から投入された遊技球が弾発面に当たり跳ね返る。跳ねかえった遊技球の高さが十分であれば障害壁部を飛び越すことができる。そうでなければ、遊技球は障害壁部に衝突し障害壁部手前に落ちる。障害壁部の向こう側には所定入賞口が位置している。遊技球の跳ね返り運動（バウンド動作）により、遊技球は垂直方向の動きを遊技者に提示することができる。よって、本発明によれば、従来の役物には無い高揚感を遊技者に与えることができる。また、弾発面と導入部と障害壁部により遊技球の振分けをしているので、簡単な構成で遊技球の振分けが可能になる。遊技球のバウンドのさせ方を変えることによりバリエーション豊かな遊技球の振分けが可能となる。
【発明を実施するための形態】
【００１４】
以下、本発明の実施例を添付図面に基づいて説明する。尚、以下の説明において、遊技機の例としてパチンコ機を説明する。本実施例では遊技球はパチンコ球である。尚、下記の説明において右、左、上、下、横等の表現が使用されているが、これは図面で見た場合の方向を意味している。
【００１５】
図２はパチンコ機１０の正面図である。パチンコ機１０は、本体枠１１と、本体枠１１の内部に配置された遊技盤１２と、遊技盤１２の前方に設けられて本体枠１１に対して開閉自在な前面枠１３とを有する。遊技盤１２は、その盤面上にガイドレール１４で囲まれた遊技領域１２ａを備えており、遊技領域１２ａに向けてパチンコ球が打ち出される。
【００１６】
前面枠１３の下方には下扉枠１５が設けられている。下扉枠１５には、遊技者が保有するパチンコ球を収容する受け皿１５ａと、パチンコ球の発射速度等を制御・調整するハンドル１６が設けられている。ハンドル１６は、パチンコ機１０の右側下部に配置されている。ハンドル１６には、人体が触れると接触信号を生成する接触検知センサ３４（図３）が設けられている。接触検知センサ３４から出力される接触信号は、パチンコ機１０の背面側に設けられた制御装置３０（図３）に入力される。
【００１７】
また、ハンドル１６には、所定の角度範囲内で回動自在な打出し調整部１７が設けられている。打出し調整部１７は、パチンコ機１０の背面側に設けられたパチンコ球の発射装置３６（図３）を駆動させる操作スイッチであり、打出し調整部１７を基準位置から時計回り方向に回動すると発射装置３６が作動するようになっている。打出し調整部１７には、バネ等の弾性体により反時計回り方向への付勢力が付与されており、待機状態においては基準位置に位置している。基準位置とは打出し調整部１７の回動量がゼロである位置をいい、かかる位置に打出し調整部１７が位置している場合には、パチンコ球は遊技盤１２の遊技領域１２ａに打ち出されないようになっている。
【００１８】
遊技盤１２には、パチンコ球の流下方向を変化せしめる遊技釘（図示せず）が植設されている。また、遊技盤１２には、風車等の役物（図示せず）が所定間隔で設けられている。遊技盤１２の最下部には入賞しなかったパチンコ球を回収するアウト口（図示せず）が設けられている。
【００１９】
遊技盤１２のほぼ中央には、センター役物１８が設けられている。センター役物１８は、本実施例では、いわゆるクルーン５０を有する入賞装置である。センター役物１８は、上部左右に羽根１９ａ、１９ｂを有している。これら羽根１９ａ、１９ｂは通常時にあってはセンター役物１８の入口を塞いでいる。つまり羽根１９ａ、１９ｂは、センター役物内へのパチンコ球の進入の許否を決める。センター役物１８の下には３つのチャッカー（始動口）２３ａ、２３ｂ、２３ｃが設けられている。符号２３ａがメインチャッカーであり、符号２３ｂ及び２３ｃがサブチャッカーである。
【００２０】
羽根１９ａ、１９ｂは、パチンコ球がチャッカー２３ａ、２３ｂ、２３ｃを通過すると開閉される。各チャッカーには球通過検知センサ３２ａ、３２ｂ、３２ｃ（図３）が備えられている。パチンコ球がチャッカーを通過すると、当該チャッカーに付随している球通過検知センサは通過検知信号を制御装置３０（図３）に送信する。制御装置３０は、例えば、メインチャッカー２３ａの通過検知信号を受信した場合には羽根１９ａ、１９ｂを２回開き、サブチャッカー２３ｂ、２３ｃの通過検知信号を場合には羽根１９ａ、１９ｂを１回開く。羽根１９ａ、１９ｂが開状態にあるときに、パチンコ球はセンター役物１８内に入ることができる。
【００２１】
羽根１９ａ、１９ｂの位置（即ち、センター役物１８の２つの入口）からは遊技球導入路２１がセンター役物１８内方に延びている。よって、センター役物１８内に入ったパチンコ球（即ち、入賞した遊技球）は、まず遊技球導入路２１に入る。導入路２１はＹ字を左に寄せたような形状を呈している。導入路２１の出口下方には断面直角三角形の楔状部材４０が設けられている。導入路２１から出たパチンコ球は、この楔状部材４０に当たり跳ねるか楔状部材４０の斜面を滑走する。その後、パチンコ球は楔状部材４０から自由落下する。楔状部材４０の右下には弾発面４２が設けられている。弾発面４２は本実施例では金属板である。楔状部材４０で跳ねた（あるいは楔状部材４０を滑走した）パチンコ球は弾発面４２に向かって落下し、再度、跳ねる。弾発面４２はセンター役物１８の床部２０と一体である。換言すれば、本実施例では、センター役物１８の床部２０の一部が弾発面４２として使用される。本実施例において弾発面４２の反発係数は１未満である。導入路２１と楔状部材４０によりパチンコ球は弾発面４２に対し斜め上方から投入される。導入路２１と楔状部材４０によりパチンコ球の導入部が構成される。
【００２２】
弾発面４２の右には障害壁部４４（所定入賞口が設けられた領域）が設けられている。即ち、弾発面４２から見て導入路２１の反対側に障害壁部４４が設けられている。本実施例では障害壁部４４は障害壁４５と、障害壁４５の右側に設けられたスロープ部４６からなっている。スロープ部４６の上方には補助天井４８が設けられている。障害壁４５は正方形または長方形の板材である。補助天井４８は曲面板である。障害壁４５を飛び越えたパチンコ球はそのままスロープ部４６に落ちるか、補助天井４８に当たった後にスロープ部４６に落ちる。補助天井４８はパチンコ球をスロープ部４６に案内するので、特定入賞口５４（後述する）が設けられた領域へパチンコ球を案内する案内部材であると言える。スロープ部４６は下方に傾斜（図２では右斜め下に傾斜）しており、スロープ部４６に落ちたパチンコ球はスロープ部４６に沿って図２の右斜め下方向に移動する。スロープ部４６でパチンコ球がなるべくバウンドしないようにするために、スロープ部４６は比較的軟らかい材料（例えば樹脂）から作られる。
【００２３】
スロープ部４６の右側にはクルーン５０が設けられている。スロープ部４６上を右側に移動したパチンコ球はスロープ右端から落ちるとクルーン５０に入るようになっている。本実施例ではクルーン５０は３つの穴を有する「３つ穴クルーン」である。クルーン５０は、円形皿状の本体５１（図４）と、本体に形成された３つの穴５２ａ、５２ｂ、５２ｃ（図４）からなる。クルーン本体５１は回転可能である。クルーン５０には、クルーン５０にパチンコ球が入ったことを検知するクルーンセンサ４９ａ（図３）が設けられていると共に、クルーン本体５１を回転させるための回動装置４９（図３）も設けられている。上記３つの穴は円形本体５１の周方向に所定間隔で設けられている。クルーン５０に入ったパチンコ球は上記３つの穴５２ａ、５２ｂ、５２ｃの１つに入り、当該穴の出口から出る。上記３つの穴の１つ５２ａがＶゾーン穴であり、他の２つ５２ｂ、５２ｃは一般入賞口穴である。Ｖゾーン穴５２ａに入ったパチンコ球はＶゾーン穴出口からＶゾーン（特定入賞口）５４に入るようになっている。一般入賞口穴５２ｂ、５２ｃに入ったパチンコ球は一般入賞口穴出口から一般入賞口に入るようになっている。特定入賞口５４には特定入賞球検知センサ３３ａ（図３）が設けられており、一般入賞口には一般入賞球検知センサ３３ｂ、３３ｃ（図３）が設けられている。
【００２４】
パチンコ球が特定入賞口５４を通過すると、特定入賞球検知センサ３３ａは球検知信号を制御装置３０（図３）に供給する。制御装置３０は、遊技者に有利な特定遊技状態（大当たり遊技状態ともいう）が提供されるようにパチンコ機１０を駆動する。ここで特定遊技状態とは、パチンコ機１０が短時間に大量の賞球を払い出すチャンスを遊技者に付与している状態を言い、例えば、羽根１９a、１９bを多数回開閉させてパチンコ球をセンター役物18内へ導き易くしている状態をいう。羽根１９a、１９bを開閉させる場合、制御装置３０は、羽根開閉機構３５（図３）に開閉駆動信号を供給する。
【００２５】
パチンコ球が一般入賞口を通過すると、一般入賞球検知センサ３３ｂ、３３ｃは球検知信号を制御装置３０に供給し、その結果、制御装置３０は賞球払出装置３８（図３）に払出信号を供給する。賞球払出装置３８は、払出信号に応じて、所定数の賞球を受け皿１５ａに払い出す。
【００２６】
障害壁４５を飛び越えることができなかったパチンコ球は障害壁４５に衝突し、障害壁４５の左側に落ちる。そのパチンコ球はセンター役物１８の床部２０に形成された回収穴（図示せず）に転がっていく。床部２０は回収穴に向かって傾斜している。よって、障害壁４５を飛び越えることができなかったパチンコ球は床部２０上に残らないようになっている。障害壁４５はパチンコ球をクルーン側または回収穴側に振り分けるので、振分け壁と称することもできる。
【００２７】
次に、本実施例のパチンコ機１０の制御装置３０について図３を参照しながら説明する。制御装置３０はマイクロコンピュータ等からなる。図３に示す如く、パチンコ機１０には制御装置３０が設けられている。制御装置３０には、電源供給ラインを介して電源３１が接続されている。また、制御装置３０には、各チャッカーに設けられた通過検知センサ３２a〜３２ｃ、特定入賞球検知センサ３３a及び一般入賞球検知センサ３３b、３３ｃが接続されており、これらセンサからの検知信号を受信することができるようになっている。さらに、制御装置３０には、ハンドル１６に設けられた接触検知センサ３４及び打出し調整部１７が接続されており、センサ３４からの検知信号及びハンドル１６の操作状況の信号を受信することができるようになっている。
【００２８】
制御装置３０は、通過検知センサ３２a〜３２c又は特定入賞検知センサ３３aからの検知信号に応じて、羽根１９a、１９bを駆動させる羽根開閉機構３５を制御する。また、制御装置３０は、接触検知センサ３４及び打出し調整部１７からの信号に基づいて発射装置３６を駆動させる。さらに、制御装置３０は、遊技状態の変化に伴ってランプ等の電飾装置３７、大当たり状態時に賞球を払い出す賞球払出装置３８、遊技状態に異常が発生した時に異常を告知する異常告知装置３９等を制御する。
【００２９】
制御装置３０にはクルーン５０にパチンコ球が入ったことを検知するクルーンセンサ４９ａと、クルーン５０を回転させるためのクルーン回動装置４９も接続されている。
次に上記した構成を有するパチンコ機１０の動作（作用）について説明する。
遊技者はハンドル１６を操作して、遊技領域１２ａに向けてパチンコ球を打ち出す。打ち出されたパチンコ球は打出通路を上昇し、遊技領域１２ａに入った後に遊技領域１２ａを流下し、サブチャッカー２３ｂ、２３ｃ、メインチャッカー２３ａ、アウト口のいずれかに入る。メインチャッカー２３ａまたはサブチャッカー２３ｂ、２３ｃにパチンコ球が入ると、所定数の賞球が受け皿１５ａに払い出されると共に、役物装置１８の入口部（ハネ）１９ａ、１９ｂが所定回数開く。アウト口に入ったパチンコ球は没収される。入口部１９ａ、１９ｂが開いている間、パチンコ球は役物装置１８に入ることができる（可能性がある）。
【００３０】
役物装置１８に入ったパチンコ球は遊技球導入路２１を通って楔状部材４０に落下する。その後、パチンコ球は、図４に示すように楔状部材４０から弾発面４２に向かって落下する。弾発面４２から見ると、パチンコ球４３は斜め上から投入されてくる。弾発面４２で跳ねたパチンコ球４３は障害壁４５方向に向かう。ここで、パチンコ球４３のバウンドが大きければ矢印Ａのようにパチンコ球４３は障害壁４５を越えることができる。バウンドが小さければ矢印Ｂのようにパチンコ球４３は障害壁４５に衝突する。
【００３１】
矢印Ａのように障害壁４５を飛び越えたパチンコ球４３はスロープ部４６に落ちる。その際、パチンコ球４３の飛行高度が高ければ、パチンコ球４３は補助天井４８に当たった後にスロープ部４６に落ちる。飛行高度が高くなければ、パチンコ玉４３は補助天井４８に接触・衝突することなくスロープ部４６上に落ちる。スロープ部４６に落ちたパチンコ球４３はスロープ部４６を転動してクルーン５０に入る。パチンコ球４３がクルーン５０に入ると、クルーンセンサ４９ａから検知信号が制御装置３０に供給され、クルーン５０は回動装置４９によりルーレットのように回転させられ、所定時間後に停止する。クルーン５０が停止すると、パチンコ球４３はクルーン５０の３つの穴５２ａ、５２ｂ、５２ｃのいずれかに入る。穴５２ａに入るとパチンコ球はＶゾーン５４に導かれる。穴５２ｂまたは５２ｃに入るとパチンコ球は一般入賞口に導かれる。
【００３２】
図４の矢印Ｂのように障害壁４５を飛び越えることができなかったパチンコ球は、障害壁４５に衝突した後、床部２０に落下し、その後、回収穴に導かれる。
【００３３】
一般にパチンコ球の物理的性質（表面処理の仕方や反発係数等）は均一ではない。弾発面４２に投入されるパチンコ球の落下速度や落下角度は、パチンコ球の物理的性質や導入路２１への入り方によって異なる。よって、パチンコ球が弾発面４２でどのようにバウンドするかは常に異なると考えられる。つまり、弾発面４２での跳ね返り方が多様に変化する。従って、本実施例によれば、センター役物１８にパチンコ球が入ってから振分け壁４５を越えるまでの間、常に遊技者に高い高揚感を与えることができる。
【００３４】
本実施例では、パチンコ球の振分けに電気的な動力を用いていない。電気的な動力を用いずにパチンコ球の動きに意外性を与えている。
【００３５】
本実施例では弾発面４２の反発係数が１未満であるとしたので、弾発面４２で跳ね帰るパチンコ球の高さは楔状部材４０の位置よりは低い。また、本実施例では特定入賞口５４（または一般入賞口）が所定入賞口であり、所定入賞口の位置は障害壁部４４を挟んで弾発面４２とは反対側にある。
【００３６】
尚、本発明は上記した実施例に限定されない。例えば以下のような変形を施すことができる。
【００３７】
（１）弾発面４２の反発係数は１以上でもよい。反発係数が１より大きい場合には、図４の楔状部材４０の位置（床部２０からの高さ）は障害壁４５の高さより低くしてもよい。
【００３８】
（２）図５に示すように弾発面４２をトランポリンのような構造にしてもよい。トランポリンは板（台）５６とこれの下に設けられたバネ５８からなる。トランポリン構造の弾発面４２にすると図４の場合と比べパチンコ球の跳ね返りの様子が異なる。この場合、弾発面はセンター役物１８の床部２０とは別の部材となる。また、弾発面４２（板５６とバネ５８）を床部２０に対して上下移動させる機構を設けてもよい。この機構があれば、トランポリンの板５６を床部２０より高くあるいは低くすることができる。弾発面４２の反発係数は１未満でも１以上でもよい。
【００３９】
（３）図６に示すように障害壁４５の形状は凸凹を有してもよい。あるいは、障害壁４５の頂面は床部２０に対して斜めでもよい。即ち、障害壁の頂面が少なくとも１つの凹部もしくは凸部または傾斜部を有してもよい。障害壁４５の高さが不均一になり、ある部分では障害壁４５の高さが低くなるので、パチンコ球のバウンド高さが低くても障害壁４５を飛び越えることができる場合も生ずる。
【００４０】
（４）図４では弾発面４２はほぼ水平であるが、所定の方向に傾斜させてもよい。例えば、図８のように障害壁４５の方向に傾斜させると障害壁４５を飛び越えることが難しくなるので、入賞の難易度を高くすることができる。
【００４１】
（５）所定条件下では補助天井４８を設けなくてもよい。例えば、補助天井４８を設けなくてもパチンコ球が必ずクルーン５０に到達するならば、補助天井４８は不要となる。
【００４２】
（６）障害壁４５を上下に移動する機構を設けてもよい。即ち、障害壁４５の高さを調整する調整機構を設けてもよい。また、障害壁４５を左右に移動する機構を設けてもよい。左右とは図６の矢印Ｘ、Ｙ方向である。
【００４３】
（７）図７に示すように障害壁部４４は複数の障害壁４５を有してもよい。この場合、最も下流側（図７の最も右）にある障害壁４５の右にスロープ部４６とクルーン５０（またはクルーン５０のみ）が設けられることになる。障害壁４５同士の間には弾発面４２が設けられると共に、パチンコ球を回収する回収穴（図示せず）も設けられる。
【００４４】
（８）クルーン５０は所定入賞口の一例に過ぎない。例えば、クルーンの代わりに回転しない部材を設け、その部材に所定入賞口を形成してもよい。
【００４５】
（９）図４では障害壁４５とクルーン５０の間にスロープ部４６を設けたが、スロープ部４６は設けなくてもよい。例えば図８に示すように障害壁４５を飛び越えると、特定入賞口５４がすぐに位置するようにしてもよい。図８では、特定入賞口５４の後に別の壁６０を設けている。よって、障害壁４５を飛び越えたパチンコ球４３は、例えば、壁６０に衝突して落下し、特定入賞口５４に入るか、特定入賞口５４の隣りの一般入賞口５５に入る。符号６２は障害壁４５を飛び越えることができなかったパチンコ球を回収するための回収穴である。床部２０は回収穴６２に向かって漏斗状に傾斜している。尚、図８では、弾発面４２は板４２ａとスプリング４２ｂからなっている。
【００４６】
（１０）また図８に示すように図４の楔状部材４０の代わりに漏斗状部材４１を設けてもよい。漏斗状部材４１の出口（下方開口部）はパチンコ球の直径よりやや大きい。漏斗状部材４１の出口から出たパチンコ球は漏斗状部材４１から垂直落下する。この場合、弾発面４２ａを障害壁４５側に向けて傾斜させ、弾発面４２ａによって跳ねたパチンコ球４３を障害壁４５方向に向かわせるようにしている。このようにすることにより、上記実施例において説明した「パチンコ球を弾発面に対し斜め上方から投入する」のと実質的に同等の作用効果を得ることができる。
【００４７】
尚、楔状部材４０の代わりに漏斗状部材４１を設けるのではなく、単に楔状部材４０を省略してもよい。即ち、図８の漏斗状部材４１は図４の遊技球導入路２１の出口であると考えてもよい。
【図面の簡単な説明】
【００４８】
【図１】従来のパチンコ球振分け装置の斜視図である。
【図２】本発明の実施例によるパチンコ機の概略正面図である。
【図３】図２のパチンコ機の制御装置及びこれに付随する要素のブロック図である。
【図４】図２のパチンコ機のセンター役物（入賞装置）の内部構造を示す拡大図であり、（ａ）は正面図で、（ｂ）はクルーン及びその周辺の平面図である。
【図５】図４の変形例を示す図である。
【図６】図４の他の変形例を示す図であり、（ａ）は平面図、（ｂ）は正面図、（ｃ）は右側面図である。
【図７】図４の他の変形例を示す図である。
【図８】図４の他の変形例を示す図である。
【符号の説明】
【００４９】
１０  パチンコ機（遊技機）
１８  センター役物
２１  遊技球導入路（導入部）
４０  楔状部材（導入部）
４２  弾発面
４３  パチンコ球
４４  障害壁部
４５  障害壁
４８  補助天井（案内部材）
５４  特定入賞口（所定入賞口）
【図１】
2008206646.tif 000003
【図２】
2008206646.tif 000004
【図３】
2008206646.tif 000005
【図４】
2008206646.tif 000006
【図５】
2008206646.tif 000007
【図６】
2008206646.tif 000008
【図７】
2008206646.tif 000009
【図８】
2008206646.tif 000010